(57)【特許請求の範囲】
【請求項１】
収納部の少なくとも対向位置に、収納物を覆い、かつロック穴を備えたフラップを設け、ループ部と通過防止部とを有するループの前記ループ部を内側方向より前記ロック穴に挿通し、前記ロック穴に挿通した前記ループ部にロックピンの一方の端部を挿入して、収納物を収納するようにした収納袋ロック装置において、
前記ロックピンの他方の端部に、前記ループ部に挿入された前記ロックピンの一方の端部を前記ループ部から外すための作動索を設けるとともに、
前記ロックピンの他方の端部と前記通過防止部とを連結索で連結する、
ことを特徴とする収納袋ロック装置。
【請求項２】
前記ロックピンの他方の端部は、リング状部であり、
前記作動索は、前記リング状部に取り付けられるとともに、
前記連結索は、前記リング状部と前記通過防止部とを連結する、
ことを特徴とする請求項１記載の収納袋ロック装置。
【請求項３】
前記収納袋は、パラシュートの収納袋である、
ことを特徴とする請求項１又は２記載の収納袋ロック装置。
【発明の詳細な説明】
【０００１】
【技術分野】
本発明は収納袋ロック装置、さらに詳細にはパラシュートなどを収納する収納袋をスムースに開放するロック装置に関する。
【０００２】
【従来技術】
一般にパラシュートは、収納袋に折り畳まれて収納されて降下物あるいは降下者に装着され、パラシュート降下時に、前記収納袋は自動的に開放されて、パラシュートが開傘するようになっている。このような収納袋１は、図６に示すように、基本的に方形の収納部１１の４辺にフラップ１２が形成された形状になっており、パラシュートを前記収納部１１にセットした後、フラップ１２を折り曲げて、フラップ１２同士をロックして、収納する構造になっている。前記フラップ１２をロックする方法としては、前記フラップ１２の先端部にロック穴１３を形成し、前記ロック穴１３同士を重ね合わせるとともに、前記ロック穴１３にループ２を内側方向より挿通させ、前記ループ２にロックピン３を挿入し、ロックする方法が広く用いられている。このロックピン３は、たとえば、飛行体に固着された作動索４に接続しており、降下者が飛行体より飛び降りたときに、前記ロックピン３は引き抜かれ、この結果フラップ１２が開放されて、パラシュートが開傘する。
【０００３】
【発明が解決しようとする課題】
このような構造のロック装置においては、前記ロックピン３が引き抜かれても、前記ループ２がロック穴１３より引き抜かれない恐れがあり、このループ２が収納袋１の開放を阻害する恐れがあった。
【０００４】
本発明は上述の課題に鑑みなされたものであり、前記ロックピンをループより引き抜いたときに確実に前記ループがロック穴から除去される収納袋ロック装置を提供することを目的とする。
【０００５】
【課題を解決するための手段】
上記課題を解決するため、本発明による収納袋ロック装置は、収納部の少なくとも対向位置に、収納物を覆い、かつロック穴を備えたフラップを設け、ループ部と通過防止部とを有するループの前記ループ部を内側方向より前記ロック穴に挿通し、前記ロック穴に挿通した前記ループ部にロックピンの一方の端部を挿入して、収納物を収納するようにした収納袋ロック装置において、
前記ロックピンの他方の端部に、前記ループ部に挿入された前記ロックピンの一方の端部を前記ループ部から外すための作動索を設けるとともに、
前記ロックピンの他方の端部と前記通過防止部とを連結索で連結する、ことを特徴とする。
また、前記ロックピンの他方の端部は、リング状部であり、
前記作動索は、前記リング状部に取り付けられるとともに、
前記連結索は、前記リング状部と前記通過防止部とを連結する、ことも可能である。
また、前記収納袋は、パラシュートの収納袋である、ことも可能である。
【０００６】
本発明によれば、前記ロックピンの他方の端部と通過防止部とが連結索によって連結されているため、ロックピンの除去にともなって、前記連結索によってロック穴より前記ループ部が強制的に除去されるため、確実に収納袋が開放されるという利点がある。
【０００７】
【実施例】
図１は、本発明による収納袋ロック装置の平面図であり、収納袋をロックした状態を示している。図２から図５は、収納袋のロック装置を作用とともに示す概略図でである。
【０００８】
収納袋１は、図６に示すように、基本的に収納部１１と前記収納部１１の辺に形成されたフラップ１２が形成されている。前記フラップ１２は、前記辺を中心に折畳み可能になっており、それぞれのフラップ１２の先端部にロック穴１３が穿設されている。このロック穴１３には金属製の鳩目１３１が取付けられており、前記ロック穴１３を補強するようになっている。
【０００９】
図２から図５に示すように、収納物を収納部１１にセットし、フラップ１２を折り畳んで、前記ロック穴１３にループ２を内側より挿通させる。前記ループ２は輪状にループ部２１と通過防止部２２を有している。通過防止部２２は、ループ２が前記ロック穴１３を通過して抜脱しないようにするためである。このようにループ２のループ部２１をロック穴１３に挿通した後、ロックピン３を前記ループ部２１に差し込むことによって、フラップ１２は開放されないようになっている。
【００１０】
前記ロックピン３には作動索４が連結しており、この作動索を引っぱることによって前記ロックピン３はループ２より外れるようになっている。さらにロックピン３にはループ２の通過防止部２２と連結する連結索５が設けられている。この連結索５はフラップ１２を折り畳んだ隙間より（たとえば収納袋の角隅部、図１参照）より収納袋１外部に伸長して、ロックピン３に連結するようになっている。
【００１１】
このような構造になっているため、飛行体に一方の端部が固着した作動索４が降下によって引っぱられると（降下者が、作動索を引っぱってロックピン３を抜脱することもある）、前記作動索４に連結されたロックピン３がループ２より抜脱される（図３参照）。このような状況で、通常は、収納物の重量によって、前記ループ２はロック穴１３より抜け落ちて、収納袋１のフラップは開放される。
【００１２】
しかしながら、上述のようにループ２がロック穴に引っ掛かって、抜脱しない場合も想定される。このため、本発明においては、連結索５がロックピン３に連結している。ロックピン３の抜脱後、さらに作動索４が引っぱられると、ロックピン３はさらに収納袋１より遠ざかり、ロックピン３に連結された連結索５が緊張することになり、ループ２を内側方向に引っぱって、ロック穴１３より強制的にループ２を抜脱することになる（図４参照）、このため、フラップ１２は支障なく開放されることになる（図５参照）。
【００１３】
【発明の効果】
以上説明したように本発明による収納袋ロック装置においては、前記ロックピンとループとが連結索によって連結されているため、ロックピンの除去にともなって、前記連結索によってロック穴より前記ループが強制的に除去されるため、確実に収納袋が開放されるという利点がある。
【図面の簡単な説明】
【図１】本発明の収納袋ロック装置の平面図。
【図２】前記収納袋ロック装置の要部の概略断面図。
【図３】前記収納袋ロック装置の要部の概略断面図。
【図４】前記収納袋ロック装置の要部の概略断面図。
【図５】前記収納袋ロック装置の要部の概略断面図。
【図６】収納袋の平面図。
【図７】従来の収納袋ロック装置の平面図。
【符号の説明】
１      収納袋
１１      収納部
１２      フラップ
１３      ロック穴
２      ループ
２１      ループ部
２２      通過防止部
３      ロックピン
４      作動索
５      連結索
【図１】
0004204743.tif 000002
【図２】
0004204743.tif 000003
【図３】
0004204743.tif 000004
【図４】
0004204743.tif 000005
【図５】
0004204743.tif 000006
【図６】
0004204743.tif 000007
【図７】
0004204743.tif 000008